(57)【特許請求の範囲】
【請求項１】
物体側から像面側に向かって順番に配置された、
物体側に凸形状を向けた正のメニスカスレンズの第１レンズと、
絞りと、
正のパワーの第２レンズと、
負のパワーの第３レンズと、
正のパワーの第４レンズと、
負のパワーの第５レンズと、からなり、
上記第３レンズのアッベ数νL3が、下記条件式を満足し、
１０  ≦  νL3  ≦  ２３
上記第２レンズの焦点距離ｆ２と全体の焦点距離ｆは下記の条件式を満足し、
０．３  ≦  ｆ２／ｆ  ≦  １０
上記第３レンズの焦点距離ｆ３と全体の焦点距離ｆは下記の条件式を満足し、
−１０  ≦  ｆ３／ｆ  ≦  −０．４
上記第４レンズの第４レンズの第２面の曲率半径と全体の焦点距離ｆは下記の条件式を満足し、
−３  ≦  ＲＬ４Ｓ２／ｆ  ≦  −０．０８
上記第５レンズの第５レンズの第１面の曲率半径と全体の焦点距離ｆは下記の条件式を満足し、
−３  ≦  ＲＬ５Ｓ１／ｆ  ≦  −０．０５
光学全長ＴＴと全体の焦点距離ｆは下記の条件式を満足する
０．８  ≦  ＴＴ／ｆ  ≦  １．４１
光学ユニット。
【請求項２】
上記第１レンズのベンディングファクター qL1=(RL1S2+RL1S1)/(RL1S2-RL1S1)が下記条件式を満足する
請求項１記載の光学ユニット。
１  ≦  ｑＬ１  ≦  １００
ｑＬ１  ：  第１レンズのベンディングファクター
ＲＬ１Ｓ１  ：  第１レンズ１１１の第１面Ｌ１Ｓ１の曲率半径
ＲＬ１Ｓ２  ：  第１レンズ１１１の第２面Ｌ１Ｓ２の曲率半径
【請求項３】
上記第１レンズのアッベ数νL1、上記第２レンズのアッベ数νL2が、下記条件式を満足する
請求項１または２記載の光学ユニット。
４０  ≦  νL1  ≦  ７０
４０  ≦  νL2  ≦  ７０
【請求項４】
撮像素子と、
撮像素子に被写体像を結像する光学ユニットと、を有し、
上記光学ユニットは、
物体側から像面側に向かって順番に配置された、
物体側に凸形状を向けた正のメニスカスレンズの第１レンズと、
絞りと、
正のパワーの第２レンズと、
負のパワーの第３レンズと、
正のパワーの第４レンズと、
負のパワーの第５レンズと、からなり、
上記第３レンズのアッベ数νL3が、下記条件式を満足し、
１０  ≦  νL3  ≦  ２３
上記第２レンズの焦点距離ｆ２と全体の焦点距離ｆは下記の条件式を満足し、
０．３  ≦  ｆ２／ｆ  ≦  １０
上記第３レンズの焦点距離ｆ３と全体の焦点距離ｆは下記の条件式を満足し、
−１０  ≦  ｆ３／ｆ  ≦  −０．４
上記第４レンズの第４レンズの第２面の曲率半径と全体の焦点距離ｆは下記の条件式を満足し、
−３  ≦  ＲＬ４Ｓ２／ｆ  ≦  −０．０８
上記第５レンズの第５レンズの第１面の曲率半径と全体の焦点距離ｆは下記の条件式を満足し、
−３  ≦  ＲＬ５Ｓ１／ｆ  ≦  −０．０５
光学全長ＴＴと全体の焦点距離ｆは下記の条件式を満足する
０．８  ≦  ＴＴ／ｆ  ≦  １．４１
撮像装置。
【請求項５】
上記第１レンズのベンディングファクター qL1=(RL1S2+RL1S1)/(RL1S2-RL1S1)が下記条件式を満足する
請求項４記載の撮像装置。
１  ≦  ｑＬ１  ≦  １００
ｑＬ１  ：  第１レンズのベンディングファクター
ＲＬ１Ｓ１  ：  第１レンズ１１１の第１面Ｌ１Ｓ１の曲率半径
ＲＬ１Ｓ２  ：  第１レンズ１１１の第２面Ｌ１Ｓ２の曲率半径
【請求項６】
上記第１レンズのアッベ数νL1、上記第２レンズのアッベ数νL2が、下記条件式を満足する
請求項４または５記載の撮像装置。
４０  ≦  νL1  ≦  ７０
４０  ≦  νL2  ≦  ７０
【発明の詳細な説明】
【技術分野】
【０００１】
本発明は、撮像機器に適用される光学ユニットおよび撮像装置に関するものである。
【背景技術】
【０００２】
近年の携帯電話やパーソナルコンピュータ（ＰＣ）等に搭載される撮像機器には、高解像度・ローコスト・小型化が強く求められている。
【０００３】
ＣＣＤ(Charge Coupled Device)やＣＭＯＳ(Complementary Metal Oxide Semiconductor)イメージセンサ等の撮像素子のセルピッチが劇的に小さくなり、光学系には通常光学系よりも光学収差、特に軸上色収差を抑えた高い結像性能が要求される。
【０００４】
現在、携帯電話用のハイエンド機種には４群４枚構成の光学系が採用されている場合が多い。
ところが、近年の高画素化によりこの構成でも性能不十分になってきている。そこで５群５枚構成の検討が必要になる。
【先行技術文献】
【特許文献】
【０００５】
【特許文献１】特開２００３−３２９９２５号公報
【発明の概要】
【発明が解決しようとする課題】
【０００６】
ところが、特許文献１に開示されている撮像レンズは、４枚目と５枚目が正のパワーで規定されており、これにより光路長が長くなる。また、Ｆｎｏが３．９と暗い。
【０００７】
本発明は、現行のユニットと同等以上の光学特性を有し、より明るく、小型化が可能な光学ユニットおよび撮像装置を提供することにある。
【課題を解決するための手段】
【０００８】
本発明の第１の観点の光学ユニットは、物体側から像面側に向かって順番に配置された、物体側に凸形状を向けた正のメニスカスレンズの第１レンズと、絞りと、正のパワーの第２レンズと、負のパワーの第３レンズと、正のパワーの第４レンズと、負のパワーの第５レンズと、からなり、
上記第３レンズのアッベ数νL3が、下記条件式を満足し、
１０  ≦  νL3  ≦  ２３
上記第２レンズの焦点距離ｆ２と全体の焦点距離ｆは下記の条件式を満足し、
０．３  ≦  ｆ２／ｆ  ≦  １０
上記第３レンズの焦点距離ｆ３と全体の焦点距離ｆは下記の条件式を満足し、
−１０  ≦  ｆ３／ｆ  ≦  −０．４
上記第４レンズの第４レンズの第２面の曲率半径と全体の焦点距離ｆは下記の条件式を満足し、
−３  ≦  ＲＬ４Ｓ２／ｆ  ≦  −０．０８
上記第５レンズの第５レンズの第１面の曲率半径と全体の焦点距離ｆは下記の条件式を満足し、
−３  ≦  ＲＬ５Ｓ１／ｆ  ≦  −０．０５
光学全長ＴＴと全体の焦点距離ｆは下記の条件式を満足する。
０．８  ≦  ＴＴ／ｆ  ≦  １．４１
【０００９】
本発明の第２の観点の撮像装置は、撮像素子と、撮像素子に被写体像を結像する光学ユニットと、を有し、上記光学ユニットは、物体側から像面側に向かって順番に配置された、物体側に凸形状を向けた正のメニスカスレンズの第１レンズと、絞りと、正のパワーの第２レンズと、負のパワーの第３レンズと、正のパワーの第４レンズと、負のパワーの第５レンズと、からなり、
上記第３レンズのアッベ数νL3が、下記条件式を満足し、
１０  ≦  νL3  ≦  ２３
上記第２レンズの焦点距離ｆ２と全体の焦点距離ｆは下記の条件式を満足し、
０．３  ≦  ｆ２／ｆ  ≦  １０
上記第３レンズの焦点距離ｆ３と全体の焦点距離ｆは下記の条件式を満足し、
−１０  ≦  ｆ３／ｆ  ≦  −０．４
上記第４レンズの第４レンズの第２面の曲率半径と全体の焦点距離ｆは下記の条件式を満足し、
−３  ≦  ＲＬ４Ｓ２／ｆ  ≦  −０．０８
上記第５レンズの第５レンズの第１面の曲率半径と全体の焦点距離ｆは下記の条件式を満足し、
−３  ≦  ＲＬ５Ｓ１／ｆ  ≦  −０．０５
光学全長ＴＴと全体の焦点距離ｆは下記の条件式を満足する。
０．８  ≦  ＴＴ／ｆ  ≦  １．４１
【発明の効果】
【００１０】
本発明によれば、現行のユニットと同等以上の光学特性を有し、より明るく、小型化が可能となる利点がある。
【図面の簡単な説明】
【００１１】
【図１】本発明の第１の実施形態に係る撮像レンズの構成例を示す図である。
【図２】本実施形態に係る撮像レンズの各レンズ群を構成する各レンズ、撮像部を構成するカバーガラス、像面に対して付与した面番号を示す図である。
【図３】実施例１において、球面収差、非点収差、および歪曲収差を示す収差図である。
【図４】本発明の第２の実施形態に係る撮像レンズの構成例を示す図である。
【図５】実施例２において、球面収差、非点収差、および歪曲収差を示す収差図である。
【図６】本実施形態に係る撮像レンズが採用される撮像装置の構成例を示すブロック図である。
【発明を実施するための形態】
【００１２】
以下、本発明の実施形態を添付図面に関連付けて説明する。
なお、説明は以下の順序で行う。
１．第１の実施形態（光学ユニットを採用した撮像レンズの第１の構成例）
２．第２の実施形態（光学ユニットを採用した撮像レンズの第２の構成例）
３．第３の実施形態（撮像装置の構成例）
【００１３】
＜１．第１の実施形態＞
図１は、本発明の第１の実施形態に係る光学ユニットを採用した撮像レンズの構成例を示す図である。
【００１４】
本第１の実施形態の撮像レンズ１００は、図１に示すように、物体側ＯＢＪＳから像面側に向かって順番に配置された、第１レンズ１１１、絞り１１２、第２レンズ１１３、第３レンズ１１４、第４レンズ１１５、および第５レンズ１１６を有する。
撮像レンズ１００は、さらに、物体側ＯＢＪＳから像面側に向かって順番に配置された、カバーガラス１２０、および像面１３０を有する。
この撮像レンズ１００は、単焦点レンズとして形成されている。
【００１５】
そして、本実施形態では、第１レンズ１１１と第２レンズ１１３との間に、絞り１１２が配置されている。
【００１６】
単焦点レンズである撮像レンズ１００において、像面１３０は、ＣＣＤセンサやＣＭＯＳセンサ等の固体撮像素子の撮像面（受像面）が配置されることを想定している。
カバーガラス１２０は、第５レンズ１１６の像面側面と像面１３０との間に配置されている。第５レンズ１１６の像面側面と像面１３０との間には、樹脂またはガラスで形成されるカバーガラス１２０や赤外カットフィルタやローパスフィルタなどの他、光学部材が配置されていてもよい。
また、絞り近傍には、位相マスク（phase mask）やコーディッドアパーチャー（Coded aperture）や液晶シャッタや可変絞り等の光学部品が配置されてもよい。
なお、本実施形態では、図１において、左側が物体側（前方）であり、右側が像面側（後方）である。
そして、物体側から入射した光束は像面１３０上に結像される。
【００１７】
以下、本実施形態の撮像レンズの構成とその作用について説明する。
【００１８】
本撮像レンズ１００は、５群５枚構成のレンズで形成されている。
第１レンズ１１１は、物体側に凸形状を向けた正のメニスカスレンズのより形成されている。
第２レンズ１１３は、正のパワーのレンズにより形成されている。
第３レンズ１１４は、負のパワーのレンズにより形成されている。
第４レンズ１１５は、正のパワーレンズにより形成されている。
第５レンズ１１６は、負のパワーのレンズにより形成されている。
【００１９】
ここで、第１レンズ１１１は、メニスカス形状になることにより、曲率半径が絞り方向に来ることにより、軸外のコマ収差と非点収差を減らす。
次に、絞り１１２が来ることにより、瞳位置を前に持ってくるのに最適な構成をとる。正のパワーでアッベ数大の第２レンズ１１３と負のパワーでアッベ数小の第３レンズ１１４で色収差を取り、かつ有効径を広げながら、第４レンズ１１５および第５レンズ１１６の光学上の位置を絞りに近づける作用をする。
また、第４レンズ１１５の第２面Ｌ４Ｓ２と第５レンズ１１６の第１面Ｌ５Ｓ１の曲率半径が光学上絞りに近づき、軸外のコマ収差と非点収差を減らす。
これらの作用で全体として大きな収差の補正能力を持ち、Ｆｎｏ２．０という明るいレンズを実現する。
【００２０】
そして、単焦点レンズである本実施形態の撮像レンズ１００は、以下の条件式（１)〜(９)を満足するように構成されている。
【００２１】
条件式（１）は、第１レンズ１１１のベンディングに関する条件式である。
上記で述べたように、第１レンズ１１１は、凸形状側を物体側に向けた正のメニスカスレンズにより形成され、その第１面Ｌ１Ｓ１、第２面Ｌ１Ｓ２の曲率半径の中心が絞り１１２側に来るようになる。
これにより、軸外のコマ収差と非点収差をより打ち消す。
条件式（１）の下限を超えるとベンディングしなくなり軸外のコマ収差と非点収差が劣化する。上限を超えると、凸のパワーが弱くなり、レトロフォーカスの形に近くなり特性は良くなるが、光学長が長くなるという問題がでる。
【００２２】
［数１］
１  ≦  ｑＬ１  ≦  １００              （１）
ｑＬ１  ：  第１レンズのベンディングファクター
ｑＬ１＝（ＲＬ１Ｓ２＋ＲＬ１Ｓ１）／（ＲＬ１Ｓ２−ＲＬ１Ｓ１）
ＲＬ１Ｓ１  ：  第１レンズ１１１の第１面Ｌ１Ｓ１の曲率半径
ＲＬ１Ｓ２  ：  第１レンズ１１１の第２面Ｌ１Ｓ２の曲率半径
【００２３】
条件式（２）は、第２レンズ１１３のパワーに関する条件式で、下限を超えるとパワーが強くなりすぎて製造トレランスが狭くなり生産性が悪くなり、上限を超えるとパワーが弱くなり色収差の補正が弱くなり、高解像撮像素子に向かなくなる。
【００２４】
［数２］
０．３  ≦  ｆ２／ｆ  ≦  １０          （２）
ｆ  :  全体の焦点距離
ｆ２：  第２レンズの焦点距離
【００２５】
条件式（３）は、第３レンズ１１４のパワーに関する条件式で、下限を超えると色収差の補正が弱くなり、高解像撮像素子に向かなくなり、上限を超えるとパワーが強くなりすぎて製造トレランスが狭くなり生産性が悪くなる。
【００２６】
［数３］
−１０  ≦  ｆ３／ｆ  ≦  −０．４      （３）
ｆ  :  全体の焦点距離
ｆ３：  第３レンズの焦点距離
【００２７】
条件式（４）は、第４レンズ１１５の第２面Ｌ４Ｓ２に関する条件式である。
条件式（４）の下限を超えるとパワーが強くなりすぎて製造トレランスが狭くなり生産性が悪くなり、上限を超えると軸外のコマ収差と非点収差が悪くなり高解像度撮像素子に向かなくなる。
【００２８】
［数４］
−３  ≦  ＲＬ４Ｓ２／ｆ  ≦  −０．０８      （４）
ｆ  :  全体の焦点距離
ＲＬ４Ｓ２  ：  第４レンズの第２面の曲率半径
【００２９】
条件式（５）は、第５レンズ１１６の第１面Ｌ５Ｓ１に関する条件式である。
条件式（５）の下限を超えるとパワーが強くなりすぎて製造トレランスが狭くなり生産性が悪くなり、上限を超えると軸外のコマ収差と非点収差が悪くなり高解像度撮像素子に向かなくなる。
【００３０】
［数５］
−３  ≦  ＲＬ５Ｓ１／ｆ  ≦  −０．０５  （５）
ｆ  :  全体の焦点距離
ＲＬ５Ｓ１  ：  第５レンズ１１６の第１面Ｌ５Ｓ１の曲率半径
【００３１】
条件式（６）は、第１レンズ１１１のアッベ数νL1に関する条件式で、下限を超えると色収差が悪化して全体の解像度が落ちる。上限を超えると、材料のコストが上がりここでの目的に適さない。
【００３２】
［数６］
４０  ≦  νL1  ≦  ７０                  （６)
【００３３】
条件式（７）は、第２レンズ１１３のアッベ数νL2に関する条件式で、下限を超えると色収差が悪化して全体の解像度が落ちる。上限を超えると、材料のコストが上がりここでの目的に適さない。
【００３４】
［数７］
４０  ≦  νL2  ≦  ７０                  （７）
【００３５】
条件式（８）は、第３レンズ１１４のアッベ数νL3に関する条件式で、下限を超えると材料のコストが上がりここでの目的に適さない。上限を超えると色収差が劣化して全体の解像度が落ちる。
【００３６】
［数８］
１０  ≦  νL3  ≦  ４０                  （８)
【００３７】
条件式（９）は、光学全長ＴＴに対する条件式で、上限を超えると、小型用途での使用が難しくなり、下限を超えると、製造トレランスが取れなくなり製造できなくなる。よってこの条件が最適条件になる。
【００３８】
［数９］
０．８  ≦  ＴＴ／ｆ  ≦  ５            （９）
ｆ    ：  全体の焦点距離
【００３９】
【００４０】
上記の条件式（１）〜（９）は、以下で取り扱う実施例１，２に共通するものであり、必要に応じて適宜採用することで、個々の撮像素子または撮像装置に適したより好ましい結像性能とコンパクトな光学系が実現される。
【００４１】
なお、レンズの非球面の形状は、物体側から像面側へ向かう方向を正とし、ｋを円錐係数、Ａ、Ｂ、Ｃ、Ｄを非球面係数、ｒを中心曲率半径としたとき次式で表される。ｙは光軸からの光線の高さ、ｃは中心曲率半径ｒの逆数（１／ｒ）をそれぞれ表している。
ただし、Ｘは非球面頂点に対する接平面からの距離を、Ａは４次の非球面係数を、Ｂは６次の非球面係数を、Ｃは８次の非球面係数を、Ｄは１０次の非球面係数をそれぞれ表している。
【００４２】
【数１０】
0005560699.tif 000002
【００４３】
図２は、本実施形態に係る撮像レンズの各レンズ群を構成する各レンズ、撮像部を構成するカバーガラス、像面に対して付与した面番号を示す図である。
なお、ここでは絞り１１２については考慮されていない。
【００４４】
具体的には、第１レンズ１１１の物体側面（凸面）に第１番、第１レンズ１１１の像面側面に第２番の面番号が付与されている。
第２レンズ１１３の物体側面に第３番、第２レンズ１１３の像面側面に第４番の面番号が付与されている。
第３レンズ１１４の物体側面に第５番、第３レンズ１１４の像面側面に第６番の面番号が付与されている。
第４レンズ１１５の物体側面に第７番、第４レンズ１１５の像面側面に第８番の面番号が付与されている。
第５レンズ１１６の物体側面に第９番、第５レンズ１１６の像面側面に第１０番の面番号が付与されている。
カバーガラス１２０の物体側面に第１１番、像面１３０に第１２番の面番号が付与されている。
【００４５】
また、図２に示すように、本実施形態の撮像レンズ１００において、第１レンズ１１１の物体側面（第１番）１の中心曲率半径はＲ１に設定され、第１レンズ１１１の像面側面の中心曲率半径はＲ２に設定される。
第２レンズ１１３の物体側面の中心曲率半径はＲ３に設定され、第２レンズ１１３の像面側面の曲率半径はＲ４に設定される。
第３レンズ１１４の物体側面の中心曲率半径はＲ５に設定され、第３レンズ１１４の像面側面の曲率半径はＲ６に設定される。
第４レンズ１１５の物体側面の中心曲率半径はＲ７に設定され、第４レンズ１１５の像面側面の曲率半径はＲ８に設定される。
第５レンズ１１６の物体側面の中心曲率半径はＲ９に設定され、第５レンズ１１６の像面側面の曲率半径はＲ１０に設定される。
カバーガラス１２０の物体側面１１の中心曲率半径はＲ１１に設定される。
像面１３０の面１２の中心曲率半径はＲ１２に設定される。
なお、面１１および面１２の中心曲率半径Ｒ１１およびＲ１２は無限（ＩＮＦＩＮＩＴＹ）である。
【００４６】
また、図２に示すように、第１レンズ１１１の厚さとなる面１と面２間の光軸ＯＸ上の距離がｄ１に、第１レンズ１１１の像面側面２と第２レンズ１１３の物体側面３間の光軸ＯＸ上の距離がｄ２に設定される。
第２レンズ１１３の厚さとなる面３と面４間の光軸ＯＸ上の距離がｄ３に、第２レンズ１１３の像面側面４と第３レンズ１１４の物体側面５間の光軸ＯＸ上の距離がｄ４に設定される。
第３レンズ１１４の厚さとなる面５と面６間の光軸ＯＸ上の距離がｄ５に、第３レンズ１１４の像面側面６と第４レンズ１１５の物体側面７間の光軸ＯＸ上の距離がｄ６に設定される。
第４レンズ１１５の厚さとなる面７と面８間の光軸ＯＸ上の距離がｄ７に、第４レンズ１１５の像面側面８と第５レンズ１１６の物体側面９間の光軸ＯＸ上の距離がｄ８に設定される。
第５レンズ１１６の厚さとなる面９と面１０間の光軸ＯＸ上の距離がｄ９に、第５レンズ１１６の像面側面１０とカバーガラス１２０の物体側面１１間の光軸ＯＸ上の距離がｄ１０に設定される。
カバーガラス１２０の厚さとなる物体側面１１と像面側面間の光軸ＯＸ上の距離がｄ１１に設定される。
カバーガラス１２０の図面側面と像面１３０の面１２間の光軸ＯＸ上の距離がｄ１２に設定される。
【００４７】
以下に、実施例１，２を示す。実施例１，２は、１／４サイズ・１．１μｍピッチの８ｍ用ＣＭＯＳイメージャ用撮像レンズの設計例である。
【００４８】
以下に、撮像レンズの具体的な数値による実施例１を示す。なお、実施例１においては、撮像レンズ１００の各レンズ、撮像部を構成するカバーガラス１２０、像面１３０に対して、図２に示すような面番号が付与されている。
この設計例では、第４レンズ１１５以外のレンズはプラスチックレンズで構成可能で、安価に製造できる。また、凸形状の第４レンズ１１５をガラスにすることにより、その他のレンズのパワーのバランスが良く、全体の焦点距離の温度依存性が少なく温度特性も優れている。
【００４９】
［実施例１］
表１、表２、表３、および表４に実施例１の各数値が示されている。実施例１の各数値は図１の撮像レンズ１００に対応している。
【００５０】
表１は、実施例１における撮像レンズの各面番号に対応した各レンズ、撮像部を構成するカバーガラス、像面の曲率半径（Ｒ：ｍｍ），間隔（ｄ：ｍｍ）、屈折率（ｎｄ）、および分散値（νｄ）を示している。
【００５１】
【表１】
0005560699.tif 000003
【００５２】
表２は、実施例１における第１レンズ１１１の面１，２、第２レンズ１１３の面３，４、第３レンズ１１４の面５，６、第４レンズ１１５の面７，８、および第５レンズ１１６の面９，１０の４次、６次、８次、１０次の非球面係数を示す。
表２において、Ｋは円錐定数を、Ａは４次の非球面係数を、Ｂは６次の非球面係数を、Ｃは８次の非球面係数を、Ｄは１０次の非球面係数をそれぞれ表している。
【００５３】
【表２】
0005560699.tif 000004
【００５４】
表３は、実施例１における撮像レンズ１００の焦点距離ｆ、開口数Ｆ、半画角ω、レンズ長Ｈが具体的に示されている。
ここで、焦点距離ｆは３．８９［ｍｍ］に、開口数Ｆは２．０に、半画角ωは３０．５ｄｅｇに、レンズ長Ｈは５．５［ｍｍ］に設定されている。
【００５５】
【表３】
0005560699.tif 000005
【００５６】
表４は、実施例１においては、上記各条件式（１）〜（９）を満足することを示す。
【００５７】
【表４】
0005560699.tif 000006
【００５８】
表４に示すように、実施例１では、第１レンズ１１１のベンディングファクターｑＬ１が２．１６に設定され、条件式（１）で規定される条件を満足している。
第２レンズ１１３のパワーｆ２／ｆが０．８４に設定され、条件式（２）で規定される条件を満足している。
第３レンズ１１４のパワーｆ３／ｆが−０．８８に設定され、条件式（３）で規定される条件を満足している。
第４レンズ１１５の第２面Ｌ４Ｓ２の曲率半径ＲＬ４Ｓ２が−０．４３に設定され、条件式（４）で規定される条件を満足している。
第５レンズ１１６の第１面Ｌ５Ｓ１の曲率半径ＲＬ５Ｓ１が−０．２７に設定され、条件式（５）で規定される条件を満足している。
第１レンズ１１１のアッベ数νL1が５６．０に設定され、条件式（６）で規定される条件を満足している。
第２レンズ１１３のアッベ数νL2が５６．０に設定され、条件式（７）で規定される条件を満足している。
第３レンズ１１４のアッベ数νL3が２３．０に設定され、条件式（８）で規定される条件を満足している。
光学全長ＴＴに対する制約条件ＴＴ／ｆが１．４１に設定され、条件式（９）で規定される条件を満足している。
【００５９】
図３は、実施例１において、球面収差(色収差)、非点収差、および歪曲収差を示す収差図である。図３（Ａ）が球面収差（色収差）、図３（Ｂ）が非点収差を、図３（Ｃ）が歪曲収差をそれぞれ示している。
図３からわかるように、実施例１によれば、球面、非点、歪曲の諸収差が良好に補正され、結像性能に優れた光学ユニットを含む撮像レンズが得られる。
【００６０】
＜２．第２の実施形態＞
図４は、本発明の第２の実施形態に係る撮像レンズの構成例を示す図である。
【００６１】
図４に示す第２の実施形態に係る撮像レンズ１００Ａと図１に示す第１の実施形態に係る撮像レンズ１００とは、基本的な構成は同じであり、以下に実施例２として示すように、各構成要素のパラメータ等の設定値が異なる。
したがって、ここでは、撮像レンズ１００Ａの詳細な説明は省略する。
【００６２】
以下に、撮像レンズの具体的な数値による実施例２を示す。なお、実施例２においては、撮像レンズ１００Ａの各レンズ、撮像部を構成するカバーガラス１２０、像面１３０に対して、図２に示すような面番号が付与されている。
【００６３】
［実施例２］
表５、表６、表７、および表８に実施例２の各数値が示されている。実施例２の各数値は図５の撮像レンズ１００Ａに対応している。
【００６４】
表５は、実施例２における撮像レンズの各面番号に対応した各レンズ、撮像部を構成するカバーガラス、像面の曲率半径（Ｒ：ｍｍ），間隔（ｄ：ｍｍ）、屈折率（ｎｄ）、および分散値（νｄ）を示している。
【００６５】
【表５】
0005560699.tif 000007
【００６６】
表６は、実施例２における第１レンズ１１１の面１，２、第２レンズ１１３の面３，４、第３レンズ１１４の面５，６、第４レンズ１１５の面７，８、および第５レンズ１１６の面９，１０の４次、６次、８次、１０次の非球面係数を示す。
表６において、Ｋは円錐定数を、Ａは４次の非球面係数を、Ｂは６次の非球面係数を、Ｃは８次の非球面係数を、Ｄは１０次の非球面係数をそれぞれ表している。
【００６７】
【表６】
0005560699.tif 000008
【００６８】
表７は、実施例２における撮像レンズ１００Ａの焦点距離ｆ、開口数Ｆ、半画角ω、レンズ長Ｈが具体的に示されている。
ここで、焦点距離ｆは３．９２［ｍｍ］に、開口数Ｆは２．０に、半画角ωは３０．４ｄｅｇに、レンズ長Ｈは５．５［ｍｍ］に設定されている。
【００６９】
【表７】
0005560699.tif 000009
【００７０】
表８は、実施例２においては、上記各条件式（１）〜（９）を満足することを示す。
【００７１】
【表８】
0005560699.tif 000010
【００７２】
表８に示すように、実施例２では、第１レンズ１１１のベンディングファクターｑＬ１が４．０８に設定され、条件式（１）で規定される条件を満足している。
第２レンズ１１３のパワーｆ２／ｆが０．８７に設定され、条件式（２）で規定される条件を満足している。
第３レンズ１１４のパワーｆ３／ｆが−１．１５に設定され、条件式（３）で規定される条件を満足している。
第４レンズ１１５の第２面Ｌ４Ｓ２の曲率半径ＲＬ４Ｓ２が−０．２８に設定され、条件式（４）で規定される条件を満足している。
第５レンズ１１６の第１面Ｌ５Ｓ１の曲率半径ＲＬ５Ｓ１が−０．２２に設定され、条件式（５）で規定される条件を満足している。
第１レンズ１１１のアッベ数νL1が５６．０に設定され、条件式（６）で規定される条件を満足している。
第２レンズ１１３のアッベ数νL2が５６．０に設定され、条件式（７）で規定される条件を満足している。
第３レンズ１１４のアッベ数νL3が２３．０に設定され、条件式（８）で規定される条件を満足している。
光学全長ＴＴに対する制約条件ＴＴ／ｆが１．４０に設定され、条件式（９）で規定される条件を満足している。
【００７３】
図５は、実施例２において、球面収差（色収差）、非点収差、および歪曲収差を示す収差図である。図５（Ａ）が球面収差(色収差)、図５（Ｂ）が非点収差を、図５（Ｃ）が歪曲収差をそれぞれ示している。
図５からわかるように、実施例２によれば、球面、非点、歪曲の諸収差が良好に補正され、結像性能に優れた光学ユニットを含む撮像レンズが得られる。
【００７４】
以上説明した本実施形態によれば、以下の効果を得ることができる。
【００７５】
本実施形態の撮像レンズ１００によれば、現行のものと同等以上の光学特性を有し、より明るく、小型化が可能な光学装置を提供することができる。
５群５枚で構成され、第１レンズ１１１は物体側に凸形状を向けた正のメニスカスレンズにより形成され、軸外のコマ収差と非点収差をよく補正することができる。
また、第１レンズ１１１は、アッベ数が大きいものが用いられ、色収差を抑えることができる。
第２レンズ１１３は、正のパワーでアッベ数が大、第３レンズ１１４は負のパワーでアッベ数が小という構成がとられ、色収差を小さくして有効径を広げて、大きなイメージャに対応するように構成することが可能となる。
正のパワーの第４レンズ１１５の第２面Ｌ５Ｓ２と負のパワーの第５レンズ１１６の第１面Ｌ５Ｓ１の曲率半径が光学上絞り近辺に来ることによって軸外のコマ収差と非点収差をよく補正することができる。
これらの作用で全体として大きな収差の補正能力を持ち、非常に明るいレンズを実現することができる。
これら５個のレンズはすべてプラスチックモールドのレンズで構成可能である。
これらによって、明るく、かつ広角、かつ光路長の短くコンパクトで安価で生産性の高い非常に高性能な光学ユニットを実現することができる。
【００７６】
以上説明したような特徴を有する撮像レンズ１００，１００Ａは、ＣＣＤやＣＭＯＳセンサ等の撮像素子を用いたデジタルカメラ、特に、携帯電話等の小型電子機器に搭載されるカメラ用レンズとして適用可能である。
【００７７】
＜３．第３の実施形態＞
図６は、本実施形態に係る光学ユニットを含む撮像レンズが採用される撮像装置の構成例を示すブロック図である。
【００７８】
本撮像装置２００は、図６に示すように、本実施形態に係る撮像レンズ１００，１００Ａが適用される光学系２１０、およびＣＣＤやＣＭＯＳイメージセンサ（固体撮像素子）が適用可能な撮像デバイス２２０を有する。
光学系２１０は、撮像デバイス２２０の画素領域を含む撮像面に入射光を導き、被写体像を結像する。
撮像装置２００は、さらに、撮像デバイス２２０を駆動する駆動回路(ＤＲＶ)２３０、および撮像デバイス２２０の出力信号を処理する信号処理回路(ＰＲＣ)２４０を有する。
【００７９】
駆動回路２３０は、撮像デバイス２２０内の回路を駆動するスタートパルスやクロックパルスを含む各種のタイミング信号を生成するタイミングジェネレータ(図示せず)を有し、所定のタイミング信号で撮像デバイス２２０を駆動する。
【００８０】
また、信号処理回路２４０は、撮像デバイス２２０の出力信号に対して所定の信号処理を施す。
信号処理回路２４０で処理された画像信号は、たとえばメモリなどの記録媒体に記録される。記録媒体に記録された画像情報は、プリンタなどによってハードコピーされる。また、信号処理回路２４０で処理された画像信号を液晶ディスプレイ等からなるモニターに動画として映し出される。
【００８１】
上述したように、デジタルスチルカメラ等の撮像装置において、光学系２１０として、先述した撮像レンズ１００，１００Ａを搭載することで、低消費電力で、高精度なカメラが実現できる。
【符号の説明】
【００８２】
１００，１００Ａ・・・撮像レンズ、１１１・・・第１レンズ、１１２・・・絞り、１１３・・・第２レンズ、１１４・・・第３レンズ、１１５・・・第４レンズ、１１６・・・第５レンズ、１２０・・・カバーガラス、１３０・・・像面、２００・・・撮像装置、２１０・・・光学系、２２０・・・撮像デバイス、２３０・・・駆動回路(ＤＲＶ)、２４０・・・信号処理回路(ＰＲＣ)。
【図１】
0005560699.tif 000011
【図２】
0005560699.tif 000012
【図３】
0005560699.tif 000013
【図４】
0005560699.tif 000014
【図５】
0005560699.tif 000015
【図６】
0005560699.tif 000016